【手続補正書】
【提出日】平成20年5月13日(2008.5.13)
【手続補正１】
【補正対象書類名】特許請求の範囲
【補正対象項目名】全文
【補正方法】変更
【補正の内容】
【特許請求の範囲】
【請求項１】
外径を有する内視鏡を用いる手順の一部として、ヒト被験体に挿管することにおける使用のためのオーバーチューブシステムであって：
ａ．外側チューブであって：
ｉ．内径、近位端および遠位端を有する細長いチューブ；および
ｉｉ．該チューブの近位端上に配置されるハンドルであって、近位端および遠位端を有するハンドルを備える外側チューブ；
ｂ．内側チューブであって：
ｉ．外径、内径、近位端および遠位端を有する細長いチューブ；
ｉｉ．カフ内径およびカフ外径を有する該遠位端上に配置されるテーパー状のカフ；および
ｉｉｉ．該チューブの近位端上に配置されたハンドルであって、近位端および遠位端を有するハンドルを備え；
ｉｖ．ここで、該内側チューブのハンドルの遠位端が、該外側チューブのハンドルの近位端を係合するように適合されている、内側チューブ；および
ｃ．該外側チューブのハンドルの近位端をシールして連結するように適合されたキャップ、を備え、
ｄ．該内側チューブの外側直径が、該外側チューブの内径より小さく、該内側チューブが該外側チューブ内に同軸に挿入されるとき、該内側チューブの長さに沿って該内側チューブと該外側チューブとの間に隙間が存在し；
ｅ．ここで、該外側チューブの遠位端および該内側チューブの遠位端がシールされる、オーバーチューブシステム。
【請求項２】
前記内側チューブのハンドルの遠位端が、前記外側チューブのハンドルの近位端とのねじによる連結を形成する、請求項１に記載のオーバーチューブシステム。
【請求項３】
前記内側チューブの内径が前記内視鏡の外径より大きく、該内視鏡が該内側チューブ内に同軸に挿入されるとき、該内側チューブの長さにそって、該内側チューブと該内視鏡の間に隙間が存在する、請求項１に記載のオーバーチューブシステム。
【請求項４】
前記内側チューブのカフが、それを通って挿入される前記内視鏡の外面をシールして係合するように適合されている、請求項１に記載のオーバーチューブシステム。
【請求項５】
前記外側チューブが、長さを識別する印を備える、請求項１に記載のオーバーチューブシステム。
【請求項６】
前記外側チューブが、前記近位端と前記遠位端との間の部分に周縁方向に間隔を置かれたコイルを備える、請求項１に記載のオーバーチューブシステム。
【請求項７】
前記テーパー状のカフが、浸漬成形される、請求項１に記載のオーバーチューブシステム。
【請求項８】
前記内側チューブが、押し出しポリ塩化ビニルから構築される、請求項１に記載のオーバーチューブシステム。
【請求項９】
前記キャップが、前記内視鏡の外面を係合するように適合されている中央アパーチャを有する可撓性シールを備える、請求項１に記載のオーバーチューブシステム。
【請求項１０】
前記キャップが複数のアパーチャを有するシールを備え、該アパーチャの少なくとも１つが前記内視鏡を係合するように適合されている、請求項１に記載のオーバーチューブシステム。
【請求項１１】
前記外側チューブが、該外側チューブの遠位端で連結された保護フードを備える、請求項１に記載のオーバーチューブシステム。
【請求項１２】
内視鏡手順の間でヒト被験体に挿管することにおける使用のためのオーバーチューブデバイスであって：
ａ．遠位端、近位端、および該近位端上に配置された第１のハンドルを有する細長いチューブを備える外側チューブ；および
ｂ．遠位端、近位端、および該近位端上に配置された第２のハンドルを有する細長いチューブを備える内側チューブを備え；
ｃ．アセンブルされた位置で、該内側チューブが該外側チューブの全長を通って延び、該内側チューブの遠位端が、該外側チューブの遠位端を超えて延び、そして該第１のハンドルが該第２のハンドルの遠位方向にある、デバイス。
【請求項１３】
前記内側チューブの遠位端と前記外側チューブの遠位端がシールを形成する、請求項１２に記載のデバイス。
【請求項１４】
前記内側チューブの長さに沿って、該内側チューブと前記外側チューブとの間に隙間が存在する、請求項１２に記載のデバイス。
【請求項１５】
前記第１のハンドルが、前記第２のハンドルとのねじによる連結を形成する、請求項１２に記載のデバイス。
【請求項１６】
前記外側チューブが、長さを識別する印を備える、請求項１２に記載のデバイス。
【請求項１７】
前記外側チューブが、前記近位端と前記遠位端との間の部分で、周縁方向に間隔を置かれたコイルを備える、請求項１２に記載のデバイス。
【請求項１８】
前記内側チューブの遠位端が、テーパー状部分を備える、請求項１２に記載のデバイス。
【請求項１９】
前記第１のハンドルの近位端と連結するように適合されたキャップをさらに備え、該キャップが、それを通って挿入された内視鏡の外面の周りにシールを形成するよう適合されたアパーチャを有する、請求項１２に記載のデバイス。
【請求項２０】
前記第１のハンドルの近位端と連結するように適合されたキャップをさらに備え、該キャップが、複数のアパーチャを備え、該アパーチャの少なくとも１つが、内視鏡の外面の周りにシールを形成するよう適合された、請求項１２に記載のデバイス。
【請求項２１】
内視鏡でヒト患者に挿管するためのシステムであって：
ａ．遠位端、近位端および該近位端上に配置された第１のハンドルを有する外側チューブ；
ｂ．遠位端、近位端および該近位端上に配置された第２のハンドルを有する内側チューブであって、該外側チューブの全長を通じて、該内側チューブの遠位端が該外側チューブの遠位端を超えて延びるように挿入されるように構成されている、内側チューブ；
ｃ．キャップであって、該内側チューブおよび該外側チューブで該ヒト患者を挿管し、該患者から該内側チューブを除去した後に、該第１のハンドルに連結されるように構成されており、該キャップがアパーチャを有する、キャップ；
を備え、
該内視鏡が、シールを形成するように該アパーチャを通り、そして該外側チューブの全長を通って該外側チューブの遠位端を超えるまで挿入されるように構成されている、システム。
【請求項２２】
前記内側チューブ遠位端と前記外側チューブ遠位端との間にシールが形成される、請求項２１に記載のシステム。
【請求項２３】
前記内視鏡を除去し、そしてシールを形成するように前記アパーチャに通し、そして前記外側チューブの全長を通って該外側チューブの遠位端を超えるまで該内視鏡の少なくとも１つのさらなる挿入を実施することを可能にするように構成されている、請求項２１に記載のシステム。
【請求項２４】
内視鏡手順の間でヒト被験体に挿管することにおける使用のためのオーバーチューブデバイスであって：
ａ．遠位端、近位端、および該近位端上に配置された第１のハンドルを有する細長いチューブを備える外側チューブ；
ｂ．遠位端、近位端、および該近位端上に配置された第２のハンドルを有する細長いチューブを備える内側チューブ；および
ｃ．該第１のハンドルの近位端に取り外し可能に連結可能であるキャップであって、それを通って挿入される内視鏡の外面の周りにシールを形成するよう適合されたアパーチャを有するキャップを備え；そして
ｄ．ここで、該内部チューブが、該外側チューブの全長を通り、該内側チューブの遠位端が、該外側チューブの遠位端を超えて延び、そして該第１のハンドルの外径が、該第２のハンドルの遠位方向にある、デバイス。
【請求項２５】
前記内側チューブの遠位端および前記外側チューブの遠位端がシールを形成する、請求項２４に記載のデバイス。
【請求項２６】
前記内側チューブの長さに沿って、該内側チューブと前記外側チューブとの間に隙間が存在する、請求項２４に記載のデバイス。
【請求項２７】
前記第１のハンドルが、前記第２のハンドルとねじによる連結を形成する、請求項２４に記載のデバイス。
【請求項２８】
内視鏡手順の間でヒト被験体に挿管することにおける使用のためのオーバーチューブデバイスであって：
ａ．遠位端、近位端、および該近位端上に配置された第１のハンドルを有する細長いチューブを備える外側チューブ；
ｂ．該第１のハンドルの近位端に取り外し可能に連結可能であるキャップであって、それを通って挿入される内視鏡の外面の周りにシールを形成するよう適合されたアパーチャを有するキャップを備え；および
ｃ．該外側チューブの遠位端で連結される逆転可能な保護フードを備える、デバイス。
【請求項２９】
遠位端、近位端、および該近位端上に配置された第２のハンドルを有する内側チューブをさらに備え、ここで、該内側チューブが前記外側チューブの全長を通じて、該内側チューブの遠位端が、該外側チューブの遠位端を超えて延び、そして前記第１のハンドルが、該第２のハンドルの遠位方向にあるように挿入される、請求項２８に記載のデバイス。
【請求項３０】
前記内側チューブの遠位端と前記外側チューブの遠位端とがシールを形成する、請求項２８に記載のデバイス。
【請求項３１】
前記内側チューブの長さに沿って、該内側チューブと前記外側チューブとの間に隙間が存在する、請求項２８に記載のデバイス。
【請求項３２】
前記第１のハンドルが、前記第２のハンドルとねじによる連結を形成する、請求項２８に記載のデバイス。
【請求項３３】
ヒト患者に挿管するためのオーバーチューブデバイスであって：
ａ．遠位端、近位端および該近位端上に配置された第１のハンドルを有する外側チューブ；
ｂ．遠位端、近位端および該近位端上に配置された第２のハンドルを有する内側チューブ；
を備え、
該内側チューブは、該外側チューブの全長を通じて該内側チューブの遠位端が該外側チューブの遠位端を超えて延びるように挿入され、そして該内側チューブのテーパー状遠位端と該外側チューブ遠位端との間にシールが形成されるように構成されており、その結果、該内側チューブおよび該外側チューブで該ヒト患者を挿管する間に、該患者の食道の任意の粘膜層が、該内側チューブのテーパー状遠位端と該外側チューブの遠位端との間につままれることが防がれる、オーバーチューブデバイス。
【請求項３４】
内視鏡手順の間でヒト被験体に挿管することにおける使用のためのオーバーチューブデバイスであって：
ａ．遠位端、近位端、および該近位端上に配置された第１のハンドルを有する細長いチューブを備える外側チューブ；
ｂ．該遠位端に固定されたテーパー状のカフ；および
ｃ．該第１のハンドルの近位端に取り外し可能に連結可能であるキャップであって、それを通って挿入される内視鏡の外面の周りにシールを形成するよう適合されたアパーチャを有するキャップを備え；
ｄ．ここで、該テーパー状のカフが、それを通じて挿入される内視鏡の外面の周りにシールを形成する、オーバーチューブシステム。
【請求項３５】
前記外側チューブが、長さを識別する印を備える、請求項３４に記載のオーバーチューブシステム。
【請求項３６】
前記外側チューブが、前記近位端部分と前記遠位端部分との間の部分に周縁方向に間隔を置かれたコイルを備える、請求項３４に記載のオーバーチューブシステム。
【請求項３７】
挿入された位置で、前記外側チューブの長さに沿って前記内視鏡と前記外側チューブとの間に隙間が存在する、請求項３４に記載のオーバーチューブシステム。